(57)【要約】【課題】器具の高さをより低くして、天井面からの出っ張りを少なくした天井面と一体感のある照明器具を提供することを目的とする。【解決手段】  取付面２００に取り付けられる照明器具１００は、二次電池１０（平板状の電池の一例）と、二次電池１０を電池収容部５３に装着して、二次電池１０の電力によりＬＥＤ７０を点灯させる点灯回路基板３０を有する点灯装置２０とを備え、取付面２００に取り付けられた場合に、二次電池１０（平板状の電池）と点灯回路基板３０とが取付面２００に略平行になるように配置される。【選択図】図２
2008262714.tif 000002
【特許請求の範囲】
【請求項１】
取付面に取り付けられる照明器具において、
平板状の電池と、
平板状の電池を装着して、平板状の電池の電力により光源を点灯させる点灯回路基板を有する点灯装置とを備え、
平板状の電池と点灯回路基板とが取付面に略平行になるように配置されることを特徴とする照明器具。
【請求項２】
上記平板状の電池は、二次電池であり、
上記点灯装置は、
外部電源と接続される電源端子を備えた電源端子台を備え、外部電源の電力により平板状の電池を充電する
ことを特徴とする請求項１記載の照明器具。
【請求項３】
上記照明器具は、さらに、
点灯装置を取り付けて取付面に設置される本体を備え、
上記点灯装置は、さらに、
光源と、
光源を覆うレンズと、
点灯回路基板と電源端子台と光源と光源を覆うレンズと平板状の電池とを、各々装着する複数の装着部と、本体に取り付けられるための本体取付部とを有するユニットケースと
を備えることを特徴とする請求項２に記載の照明器具。
【請求項４】
上記電源端子台は、
取付面に設置される本体の略中心部から所定の距離ずれた位置に配置されることを特徴とする請求項２又は３に記載の照明器具。
【請求項５】
上記本体は、
本体の略中心部から所定の距離ずれた位置であって、電源端子台が配置された位置と重なる位置に、外部電源と電源端子とを接続する電線を通すための貫通孔を設けることを特徴とする請求項４に記載の照明器具。
【請求項６】
上記ユニットケースは、
取付面側が開口している筒状であって、
取付面側とは反対側の面であるケース光源面の略中心部に設けられ、光源とレンズを取り付けるための光源取付部と、
平板状の電池の片面をケース光源面に当接させて収容する電池収容部と
を備えることを特徴とする請求項３〜５のいずれかに記載の照明器具。
【請求項７】
上記平板状の電池は、
片側に所定の幅で開口する電池開口部を備える馬蹄形であることを特徴とする請求項６に記載の照明器具。
【請求項８】
上記平板上の電池は、
電池開口部の終端部にユニットケースの光源取付部が位置するように電池収容部に収容される
ことを特徴とする請求項７に記載の照明器具。
【請求項９】
上記ユニットケースは、さらに、
光源取付部からケース光源面の周縁部に向かって所定の幅で開口するケース切り欠き部と、
平板状の電池が電池収容部に収容される場合に、電池開口部とケース切り欠き部とが重なることにより形成される開口に、電源端子台を挿入して係止するための端子台係止部とを備えることを特徴とする請求項８に記載の照明器具。
【請求項１０】
上記照明器具は、さらに、
点灯装置を覆うカバーを備え、
上記ユニットケースは、さらに、
点灯回路基板を装着する基板装着部と、
カバーを係止するためのカバー係止部と、
を備えることを特徴とする請求項９に記載の照明器具。
【請求項１１】
上記光源取付部は、
光源として、発光ダイオード（ＬＥＤ）とミニハロゲン電球とのいずれかを取り付けることを特徴とする請求項６〜１０のいずれかに記載の照明器具。
【請求項１２】
上記平板状の電池は、
リチウムポリマー電池であることを特徴とする請求項１〜１１のいずれかに記載の照明器具。
【発明の詳細な説明】
【技術分野】
【０００１】
本発明は、照明器具に関するものであり、特に、電池を搭載して天井面に取り付けられる照明器具に関する。
【背景技術】
【０００２】
従来より、天井面に取り付けられる照明器具として、二次電池を搭載し通常時には一般電源等からの電力で二次電池を充電し、一般電源の停電等の非常時には充電した二次電池の電力で光源を点灯させる非常用照明器具がある。このような照明器具において、照明器具の高さの低減、あるいは照明器具の着脱作業性等の向上を図る技術が開示されている（特許文献１及び特許文献２参照）。
【特許文献１】特開２００４−１８５８４１号公報
【特許文献２】特開平４−１４７５０２号公報
【発明の開示】
【発明が解決しようとする課題】
【０００３】
従来の特許文献１あるいは特許文献２のような照明器具では、二次電池の高さにより器具の高さがほぼ決まってしまい、照明器具の高さの低減化を図るのに限界があるという課題がある。また、照明器具に内蔵される部品間を連結する電線等の配線経路確保のために、部品の配置が制限され、照明器具の高さを低減することができないという課題もある。
【０００４】
本発明は、例えば、上記のような課題を解決するためになされたものであり、照明器具の高さをより低くして、天井面からの出っ張りを少なくした天井面と一体感のある照明器具を提供することを目的とする。さらには、照明器具の高さを低減しつつ、照明器具の着脱作業性を向上させることを目的とする。
【課題を解決するための手段】
【０００５】
本発明に係る取付面に取り付けられる照明器具は、平板状の電池と、平板状の電池を装着して、平板状の電池の電力により光源を点灯させる点灯回路基板を有する点灯装置とを備え、平板状の電池と点灯回路基板とが取付面に略平行になるように配置されることを特徴とする。
【発明の効果】
【０００６】
本発明に係る取付面に取り付けられる照明器具は、平板状の電池と、平板状の電池を装着して平板状の電池の電力により光源を点灯させる点灯回路基板を有する点灯装置とを備えており、取付面に取り付けられた場合に、平板状の電池と点灯回路基板とが取付面に略平行になるように配置されるので、器具の高さをより低くすることができ、天井面からの出っ張りを少なくした天井面と一体感のある照明器具を提供することができるという効果を奏する。
【発明を実施するための最良の形態】
【０００７】
以下に、本発明の実施の形態について、図を用いて説明する。
【０００８】
実施の形態１．
図１は、実施の形態１に係る照明器具１００の点灯回路基板３０と二次電池１０（平板状の電池の一例）との位置関係を示す構成図である。図２は、実施の形態１に係る照明器具１００の分解斜視図である。図３は、実施の形態１に係るユニットケース５０の部分拡大図である。図４は、実施の形態１に係る照明器具１００の断面図である。図５は、実施の形態１に係る点灯装置２０の部分拡大図である。図６は、点灯回路基板３０の実装面３３を上向きに配置した場合の点灯装置２０の構成を示す図である。図７（ａ）は、基板装着部５８を示す部分断面視図、図７（ｂ）は、基板装着部５８付近（Ｅ−Ｆ間）の部分平面図、図７（ｃ）は、基板装着部５８付近（Ｅ−Ｆ間）の部分斜視図である。
【０００９】
本実施の形態に係る照明器具１００は、図１に示すように、天井などの取付面２００に取り付けられ、平板状の二次電池１０（平板上の電池の一例）を搭載し、二次電池１０の電力により光源を点灯させる点灯回路基板３０を有する点灯装置２０を備えるものである。照明器具１００は、取付面２００に取り付けられる場合に、二次電池１０と点灯回路基板３０とが取付面２００に略平行になるように配置されることを特徴としている。そのため、照明器具１００の高さＨをより低くすることができ、天井面からの出っ張りを少なくした天井面と一体感のある照明器具を提供することができる。
【００１０】
照明器具１００は、例えば、取付面２００の一例としての天井面に取り付けられる照明器具１００であって、二次電池１０を搭載し、通常時には点灯装置２０が商用電源等の外部電源からの電力で二次電池１０を充電し、商用電源の停電等の非常時には、点灯装置２０が充電した二次電池１０の電力で光源を点灯させる非常用照明器具である。
【００１１】
図２〜図７を用いて、本実施の形態に係る照明器具１００の構成について説明する。
【００１２】
点灯装置２０は、ユニットケース５０を備えており、ユニットケース５０に点灯装置２０を構成する部品等を装着している。
【００１３】
ユニットケース５０は、点灯回路基板３０と電源端子台６０とＬＥＤ７０（光源の一例）とＬＥＤ７０を覆うレンズ７１と二次電池１０とを各々装着する複数の装着部と、本体に取り付けるための爪部（本体取付部５４）とを有している。
【００１４】
すなわち、実施の形態１に係る照明器具１００は、ユニットケース５０に点灯装置２０を構成する部品等（点灯回路基板３０と電源端子台６０とＬＥＤ７０（光源の一例）とＬＥＤ７０を覆うレンズ７１）を各々に対応する複数の装着部によって一体に装着し、点灯装置２０を構成する部品等を一体に装着したユニットケース５０を本体取付部５４によって本体４０に取り付け、点灯装置２０と本体４０とが一体化した状態のままで、取付面２００に取り付けることができる照明器具１００である。さらに、実施の形態１に係る照明器具１００は、点灯装置２０と一体化した本体４０を取付面２００に取り付けた後、二次電池１０とカバー８０とを容易に取り付けることができる各々の装着部をも備えている。
【００１５】
以下に、点灯装置２０を構成する部品等（点灯回路基板３０と電源端子台６０とＬＥＤ７０（光源の一例）とＬＥＤ７０を覆うレンズ７１）と二次電池１０とカバー８０とを、ユニットケース５０に装着するための複数の装着部について説明する。
【００１６】
＜光源取付部５２＞
ユニットケース５０は、取付面２００側が開口している筒状であって、取付面２００側とは反対側の面であるケース光源面５１の略中心部にＬＥＤ７０とレンズ７１とを取り付けるための光源取付部５２（装着部の一例）を備えている。
【００１７】
ユニットケース５０には、光源取付部５２からケース光源面５１の周縁部に向かって所定の幅で開口するケース切り欠き部５５が形成されている。さらに、ユニットケース５０には、ケース切り欠き部５５の開口の入り口部分であってケース光源面５１の周縁部の端部５５ａ，５５ｂ（図３参照）から、端部５５ａから端部５５ｂまでの距離の幅で、垂直上方（ケース光源面５１から取付面２００方向）に、ユニットケース５０の側面を縦に開口した側面開口部５３５が形成されている。側面における側面開口部５３５の開口の両側の縁部（縁辺部）は、略平行となっている。側面開口部５３５は、端部５５ａから端部５５ｂまでの距離の幅で、ケース光源面５１から取付面２００側の開口までのユニットケース５０の側面をすべて開口してもよい。ケース光源面５１の平面形状は、馬蹄形、Ｕ字状、コ字状となり、後述する二次電池１０の平面形状と略同一となる。
【００１８】
また、所定の位置まで開口し、ユニットケース５０の側面の上部は開口していなくてもよい。この場合、ユニットケース５０は、円筒形になる。
【００１９】
ケース切り欠き部５５には、後述する電源端子台６０を挿入して配置するため、作業性を考慮して、ケース切り欠き部５５の幅は電源端子台６０の長手方向の幅よりもやや広くして、ケース切り欠き部５５の両縁部と電源端子台６０との間に隙間を設けることが望ましい。ただし、照明器具のコンパクト化を考慮すると、上記隙間はできるだけせまい方が好ましい。
【００２０】
また、ユニットケース５０は、点灯装置２０を構成する部品等を複数の装着部によって一体に装着した後、本体取付部５４によって本体４０に取り付けられた状態のままで、本体４０の器具取付穴４２からネジを通して取付面２００にネジ止めすることができるように、ねじ回し具等を挿入するためのケース孔５０１をケース光源面５１に設けている。したがって、ケース孔５０１は、ユニットケース５０を本体４０に取り付けた状態で、器具取付穴４２ａと器具取付穴４２ｂとに対応する位置（器具取付穴４２ａ，４２ｂの垂直軸とケース光源面５１との交点）に設けられる。
【００２１】
ＬＥＤ７０は、ＬＥＤ基台７０１に設置され、点灯回路基板３０に接続するためのＬＥＤ接続線７０２とＬＥＤ接続端子７０３とを備えている。レンズ７１は、底部にＬＥＤを配置するための開口を形成したお椀型のレンズである。レンズ７１は、ＬＥＤ７０を配置した底部から、底部とは反対側の開口部の周縁部（レンズ縁部７１１）にわたっての側面に、ＬＥＤ７０の光を反射させるための反射体を備えていてもよい。
【００２２】
光源取付部５２は、ケース光源面５１の略中心部に筒状に突出して形成され、ケース光源面５１側の反対側の面は、ＬＥＤ７０を挿入するために開口している。したがって、光源取付部５２の内径は、作業性を考慮して、ＬＥＤ基台７０１の径よりもやや大きい内径となっているのがよい。光源取付部５２の開口の周縁部には、少なくとも２カ所に内側に突出した爪部５２１を設けている（図３参照）。さらに、光源取付部５２の側面のケース切り欠き部５５側には、光源取付部５２の側面を縦に開口するスリット部５２２を設けている（図３参照）。
【００２３】
ＬＥＤ７０を光源取付部５２に取り付ける（すなわち、ユニットケース５０に装着する）場合は、まず、ＬＥＤ７０を設置したＬＥＤ基台７０１を筒状の光源取付部５２の開口から挿入し、ＬＥＤ接続線７０２をスリット部５２２に通して光源取付部５２の外側に引き出し、ＬＥＤ接続線７０２の端部のＬＥＤ接続端子７０３はケース切り欠き部５５を通して後述する点灯回路基板３０に接続する。図４に示すように、レンズ７１は、ＬＥＤ７０がレンズ７１の底部に配置されるようにレンズ７１の底部から光源取付部５２の開口に挿入して、レンズ７１の底部でＬＥＤ基台７０１を押し付けるように密着させて押し込み、レンズ縁部７１１を光源取付部５２の爪部５２１に引っ掛けることによりレンズ７１を光源取付部５２の内部に係止する。
【００２４】
＜電池収容部５３＞
ユニットケース５０は、二次電池１０の片面をケース光源面５１に当接させて収容する電池収容部５３（装着部の一例）を備えている。図２、図３を用いて電池収容部５３について詳しく説明する。
【００２５】
電池収容部５３は、二次電池１０を収容したときに二次電池１０の周囲の側面（側壁１２）の一部を覆う側壁部５３２と二次電池１０の下面の周縁部の一部を支えて係止するための電池係止部５３１とから構成される。側壁部５３２は、ユニットケース５０の側面の一部をケース光源面方向に延設して形成される。側壁部５３２の下端部には、側壁部５３２の下端部を内側に略直角に折り曲げて、折り曲げた内面に二次電池１０の下面の周縁部を載置して支えることにより二次電池１０を係止する電池係止部５３１が形成される。電池収容部５３は、ユニットケース５０の周縁部であってケース切り欠き部５５の両側の端部５５ａ，５５ｂ（ケース切り欠き部５５の開口の入り口の両側の端部）から、ユニットケース５０の周縁部に沿って両側に略対称に形成される。両側の電池収容部５３の側壁部５３２の側壁終端部（５３２ａ、５３２ｂ）は、５３２ａと５３２ｂとを結ぶ線が、ケース光源面５１の略２等分する位置となり、電池収容部５３の電池挿入口５３４となる。
【００２６】
ここで、二次電池１０の形状について説明する。二次電池１０は、平板状であって、片側に所定の幅で開口する電池開口部１１を形成した馬蹄形（Ｕ字状、コ字状）である。例えば、ドーナツ形（環状形）の一部を欠いた形状である。二次電池１０の電池開口部１１の全面を塞いだと仮定した場合の二次電池１０の形状は、ドーナツ状、円状、輪状、環状になり、その外形は、ケース光源面５１と略同一の形状であることが好ましい。したがって、二次電池１０の形状は、ケース光源面５１と略同一形状であって片側に所定の幅で開口する電池開口部１１を形成した形状であるといえる。
【００２７】
電池開口部１１は、二次電池１０の略中心部に所定の径の長さで開口する中心開口部１３（電池開口部１１の終端部）を形成し、中心開口部１３から連結して片側に所定の幅で開口している。二次電池１０が電池収容部５３に収容された場合には、中心開口部１３には光源取付部５２が収まるので、中心開口部１３の径は作業性を考慮して光源取付部５２の径よりやや大きいことが望ましい。また、二次電池１０が電池収容部５３に収容された場合には、電池開口部１１とユニットケース５０のケース切り欠き部５５とが略重なって、開口を形成し、その開口には、後述する電源端子台６０が挿入されて配置される。そのため、電池開口部１１の幅は、ケース切り欠き部の幅と略同一であることが好ましい。電池開口部１１の幅も上述したケース切り欠き部５５の幅と同様に、電源端子台６０を挿入するため、作業性を考慮して、電源端子台６０の長手方向の幅よりもやや広くして、電池開口部１１の両縁部と電源端子台６０との間に隙間を設けることが望ましい。ただし、照明器具のコンパクト化を考慮すると、上記隙間はできるだけ短い方が好適である。
【００２８】
二次電池１０を電池収容部５３に収容する（すなわち、ユニットケース５０に装着する）場合は、二次電池１０の電池開口部１１に光源取付部５２を嵌めるようにしながら二次電池１０の片面をケース光源面５１に当接させつつ、二次電池１０を電池挿入部５３４から挿入してケース切り欠き部５５の方向へスライドさせて収容する。中心開口部１３（電池開口部１１の終端部１２）に光源取付部５２が位置するまで二次電池１０をスライドさせて収容する。
【００２９】
このとき、二次電池１０の高さＭと光源取付部５２の高さＮは、略等しい（Ｍ≒Ｎ）。また、電池収容部５３の側壁部５３２の高さＬは、二次電池の高さＭと略等しいことが好ましいが、作業性を考慮すると、側壁部５３２の長さＬを二次電池の高さＭよりやや長くしてケース光源面５１と当接する二次電池１０の面とにクリアランス（隙間）があった方が好ましい（Ｌ≧Ｍ）。ただし、照明器具の高さＨの低減化を考慮すると、ケース光源面５１と当接する二次電池１０の面とのクリアランスはできるだけ小さくするのが好適である（Ｌ−Ｍ≒０）。
【００３０】
＜基板装着部５８＞
点灯回路基板３０は、上述したように二次電池１０の電力によりＬＥＤ７０の点灯を制御するための基板である。本実施の形態では、点灯回路基板３０は、二次電池１０と略同一の形状（馬蹄形、Ｕ字状、コ字状）をしており、電池開口部１１に対応する部分には同様に基板開口部３３を設けている。なお、点灯回路基板３０は、二次電池１０と略同一形状でなくてもよく、矩形でもよい。
【００３１】
点灯回路基板３０は、電子部品を取り付ける実装面３３と実装面３３の反対側の面（裏面）であるはんだ面３４とを有し、はんだ面３４には電気を絶縁するための絶縁シート３５を備えている。図２〜図４に示すように、本実施の形態では、点灯回路基板３０の実装面３３が下向きに、点灯回路基板３０のはんだ面３４が本体４０と対向するように配置されている。しかし、この配置に限られるわけではなく、図６に示すように、実装面３３を上向きに、はんだ面３４をユニットケース５０のケース光源面５１側に向けて配置してもよい。
【００３２】
また、点灯回路基板３０は、点灯装置２０を構成する部品等（点灯回路基板３０と電源端子台６０とＬＥＤ７０（光源の一例）とＬＥＤ７０を覆うレンズ７１）を、各々に対応する複数の装着部によって一体に装着して本体４０に取り付けた状態のままで、本体４０の器具取付穴４２にネジを通して取付面２００に本体４０をネジ止めすることができるように、ねじ回し具等を挿入するための基板孔３２を設けている。基板孔３２の位置は、ケース孔５０１の位置と同様に、点灯回路基板３０を装着したユニットケース５０を本体４０に取り付けた状態で、器具取付穴４２ａと器具取付穴４２ｂとに対応する位置（器具取付穴４２ａ，４２ｂの垂直軸と点灯回路基板３０との交わる位置）に設ける。すなわち、作業者は、ユニットケース５０のケース孔５０１からねじ回し具等を挿入して、さらに基板孔３２を通過して、本体４０の器具取付穴４２にねじ回し具等を到達させて作業することができる。
【００３３】
次に、図５及び図７を用いて、基板装着部５８（装着部の一例）について説明する。ユニットケース５０の内側面には少なくとも２カ所以上に基板装着部５８を備えている。基板装着部５８は、基板爪部５８ａと基板係止台５８ｂとから構成されている。
【００３４】
図７（ａ）は、図５のＣ−Ｄ断面をＦからＥの方向に見た図である。図７（ｂ）は、ユニットケース５０のＥ−Ｆ間付近を上から（取付面２００側から）見た図である。図７（ｃ）は、ユニットケース５０のＥ−Ｆ間付近の部分斜視図である。基板係止台５８ｂは、図７（ａ）〜（ｃ）に示すように、ユニットケース５０の内側面に板状に突出している。また、基板爪部５８ａは、図７（ａ）〜（ｃ）に示すように、ユニットケース５０の内側面の基板係止台５８ｂより上側の位置に爪状（断面が略直角三角形状）に突出して設けられている。ユニットケース５０を上から見た場合（図７（ｂ）参照）、基板爪部５８ａと基板係止台５８ｂの円周方向（Ｅ−Ｆ方向）の位置関係は、作業性を考慮すると、所定の距離（図７（ｂ）の距離Ｋ）ずれた位置関係にある方が好ましい。
【００３５】
図７（ａ）に示すように、基板係止台５８ｂの上面５８１と基板爪部５８ａの底面部５８３の間の隙間Ｉは、点灯回路基板３０を嵌めるための基板嵌合部５９となっている。また、点灯回路基板３０を基板装着部５８に嵌めるときの作業性を考えて、基板爪部５８ａにはテーパー５８２を設けている。
【００３６】
点灯回路基板３０をユニットケース５０に取り付ける場合は、ユニットケース５０の上部（取付面２００側）の開口から、点灯回路基板３０を、ケース光源面５１に略平行で、基板開口部３３がケース切り欠き部５５及び電池開口部１１に略重なる位置になるように挿入して、点灯回路基板３０を押し込むことにより、点灯回路基板３０がユニットケース５０の基板係止台５８ｂの上面５８１と基板爪部５８ａの底面部５８３の間の基板嵌合部５９に嵌められる。このとき、図５に示すように、点灯回路基板３０の側壁部の基板爪部５８ａに対応する部分に基板溝部３１を設けておくと、点灯回路基板３０を基板装着部５８に嵌めやすい。また、基板溝部３１を設けておくことで、点灯回路基板３０の装着時の位置決めにも利用することができる。ただし、基板溝部３１の奥行きの距離（長さ）は、基板爪部５８ａの底面部５８３の突出長（ユニットケース５０の側面から突出している距離）よりも短くする必要がある。また、基板溝部３１はなくても構わない。
【００３７】
以下に、基板装着部５８の他の例について説明する。例えば、点灯回路基板３０の側壁面に、少なくとも２カ所以上に、ユニットケース５０に装着するための爪を設ける。基板装着部５８は、例えば、ユニットケース５０の内側面に設けられた溝部であり、点灯回路基板３０をケース光源面５１に対して略平行で、基板開口部３３がケース切り欠き部５５及び電池開口部１１に略重なる位置になるように装着した場合に、複数の上記爪と対応する場所に設けられる。ユニットケース５０の上部（取付面２００側）の開口から、点灯回路基板３０を、ケース光源面５１に略平行で、基板開口部３３がケース切り欠き部５５及び電池開口部１１に略重なる位置になるように挿入して、点灯回路基板３０を押し込むことにより、点灯回路基板３０の上記爪がユニットケース５０の基板装着部５８の溝に嵌って、点灯回路基板３０がユニットケース５０に装着される。
【００３８】
＜端子台係止部５６＞
電源端子台６０は、商用電源等の外部電源と接続される電源端子６２を備えている。電源端子台６０は、ユニットケース５０にネジ止めにより設置されるため、ネジを通す孔６４ａ，６４ｂを有する電源端子台取付金具６１を装着する。
【００３９】
ユニットケース５０は、電源端子台６０をネジ止めして係止するための端子台係止部５６ａ，５６ｂ（装着部の一例）を備えている。端子台係止部５６は、ネジを通す孔である。
【００４０】
電源端子台６０は、長方体の箱形である。電源端子台６０は、電源端子台６０の電源端子６２を備えた面を取付面２００側に向けて、二次電池１０の電池開口部１１とユニットケース５０のケース切り欠き部５５と基板開口部３３とが略重なって形成される開口に挿入され固定される。図４に示すように、電源端子台６０の最下部（最も取付面２００から離れた部分）となる端子台最下部６３は、光源取付部５２の開口部の位置（光源取付部５２の最下部５２９）と略同一の位置（並列の位置関係）になることが望ましい。あるいは、端子台最下部６３が光源取付部５２の最下部５２９より、やや上部にあっても構わない。
【００４１】
電源端子台６０は、取付面２００に対して垂直な状態よりも、やや傾斜して配置される。すなわち、取付面２００側に向けた電源端子６２の面を、ケース光源面５１の中心から周に向かう方向（図４におけるＢ方向）に傾斜させて、端子台最下部６３が光源取付部５２の最下部と略同一の位置（並列の位置関係）になるように調整する。電源端子台６０を上述したように調整した位置に配置して、電源端子台６０が装着する電源端子台取付金具６１の孔６４ａ，６４ｂと、ユニットケース５０の備える孔である端子台係止部５６ａ，５６ｂとを重ねてネジ止めする。電源端子台６０は、取付面２００に対して略垂直な状態で配置しても構わない。
【００４２】
ＬＥＤ７０及びレンズ７１は、照明器具１００の略中心部に位置するので、電源端子台６０を照明器具１００の略中心部からずらして、ＬＥＤ７０及びレンズ７１と電源端子台６０とを略並列の位置関係に配置することにより、同じ高さの空間に複数の部品（例えば、ＬＥＤ７０とレンズ７１と二次電池１０と電源端子台６０等）を配置することができ、照明器具の高さが部品の高さによって累積的に増加するのを防ぐことができる。すなわち、電源端子台６０は、取付面２００に設置される本体４０の略中心部から所定の距離ずれた位置に配置される。
【００４３】
＜本体取付部５４＞
本体４０は、照明器具１００を取付面２００に取り付けるための取付具である。本体４０は、平板状であり、その周縁部にフランジを有する帽子状である。本体４０は、少なくとも本体４０の略対角線上の２カ所のフランジ部に点灯装置取付部４３である孔を設けている。点灯装置取付部４３（孔）の位置は、ユニットケース５０が備える本体取付部５４（爪部）と対応する位置である。ユニットケース５０の本体取付部５４は爪部であり、本体取付部５４の爪部を点灯装置取付部４３の孔に押し込むように挿入して、爪部を孔の縁部に引っ掛けることにより、本体４０にユニットケース５０を係止する。このようにして、本体４０と、点灯装置２０を構成する部品等（点灯回路基板３０と電源端子台６０とＬＥＤ７０（光源の一例）とＬＥＤ７０を覆うレンズ７１）を装着したユニットケース５０とを一体にすることができる。
【００４４】
また、本体４０は、本体４０の略中心部から所定の距離ずれた位置であって、電源端子台６０が配置された位置と重なる位置に、外部電源と電源端子６２とを接続する電線を通すための電源穴４１（貫通孔の一例）を設けている。
【００４５】
また、本体４０は、取付面２００に本体４０をネジ止めするための器具取付穴４２ａ、４２ｂを備えている。本体４０は、本体４０と点灯装置２０とが一体に取り付けられた状態のままで、本体４０の器具取付穴４２にネジを通して取付面２００にネジ止めすることができる構造となっている。本体４０の器具取付穴４２ａ、４２ｂの垂直軸上に、基板孔３２とケース孔５０１が位置するので、作業者は、本体４０に点灯装置２０を取り付けた状態のままで、ユニットケース５０のケース孔５０１からねじ回し具等を挿入して、さらに基板孔３２を通過して、本体４０の器具取付穴４２にねじ回し具等を到達させて本体４０を取付面２００にネジ止めすることができる。
【００４６】
＜カバー係止部５７＞
照明器具１００は、点灯装置を構成する部品等と二次電池１０とを一体に装着したユニットケース５０を覆うカバー８０を備えている。カバー８０は、取付面２００側が開口する有底の筒状であり、ユニットケース５０に点灯装置２０を構成する部品等と二次電池１０とを一体に装着した後に、点灯装置の全体を覆うようにして、ユニットケース５０に係止される。カバー８０の取付面２００側とは反対側のカバー光源面８２（カバーの底面）には、ＬＥＤ７０に対応する部分に、光源の光を通すための光源孔８３を設けている。カバー８０の内側面には、ユニットケース５０に装着したときに、ユニットケース５０のカバー係止部５７に対応する箇所に、カバー爪部８１を備えている。カバー爪部８１は、少なくともカバーの内側面の略対角線上の２カ所に備えることが好ましい。
【００４７】
カバー８０を、ユニットケース５０のケース光源面５１側から、二次電池１０とユニットケース５０とを覆うようにかぶせて、カバー爪部８１をユニットケース５０のカバー係止部５７に嵌め込んで、カバー８０をユニットケース５０に係止させる。カバー８０は、二次電池１０が水平方向にスライドしてユニットケース５０から抜けてしまうことを防止する。
【００４８】
以上のように、本実施の形態に係る照明器具１００は、ユニットケース５０に点灯装置２０を構成する部品等（点灯回路基板３０と電源端子台６０とＬＥＤ７０（光源の一例）とＬＥＤ７０を覆うレンズ７１）を、各々に対応する複数の装着部によって一体に装着し、点灯装置２０を構成する部品等を一体に装着したユニットケース５０を本体４０に取り付けることができる。さらに、点灯装置２０と本体４０とが一体化した状態のままで、本体４０を取付面２００に取り付けることができる。さらに、その後、作業者は、取付面２００に取り付けられたユニットケース５０の電池収容部５３に、二次電池１０をスライドさせることで容易に二次電池１０を取り付けることができる。さらに、その後、作業者は、カバー８０を、ユニットケース５０のケース光源面５１側からかぶせるようにして押し込んで、カバー爪部８１をカバー係止部５７に嵌め込むことにより、容易にカバー８０を取り付けることができる。
【００４９】
図８は、点灯装置２０を取り付けた本体４０を取付面２００側から見た平面図である。図４、図８を用いて、本体４０の電源穴４１の形状と配置について説明する。
【００５０】
図４に示すように、電源端子台６０は、照明器具の略中心部Ｑ（すなわち、本体４０の略中心部Ｑ）から所定の距離ずれた位置であってユニットケース５０のケース切り欠き部５５と二次電池１０の電池開口部１１との位置に設置される。これは、二次電池１０、ＬＥＤ７０及びレンズ７１、電源端子台６０等の部品を並列な位置関係で配置することにより、照明器具１００の高さの低減化を図るための、本実施の形態に係る照明器具１００の特徴点のひとつである。
【００５１】
したがって、本実施の形態では、外部電源等と電源端子台６０が備える電源端子６２とを接続する電線６５を通すために、本体４０の電源穴４１（貫通項の一例）を、本体４０の略中心部からずれた位置であってユニットケース５０のケース切り欠き部５５と二次電池１０の電池開口部１１との位置、すなわち、電源端子台６０の電源端子６２の位置と重なる位置に形成する。
【００５２】
図８に示すように、電源穴４１は、本体４０の略中心部から電源端子台６０の位置と重なる位置まで連結して開口する長円となっている。これによって、本体４０の略中心部から所定の距離ずれた位置に配置された電源端子台６０にも、電線６５を容易に接続することができる。また、電源穴４１は、上述した長円に限られることなく、本体４０の略中心部から電源端子台６０の位置と重なる位置であって二次電池１０の電池開口部１１の位置まで連続して開口する形状であれば、長方形、楕円形、円形、矩形、菱形でも構わない。また、本体４０の略中心部から電源端子台６０の位置と重なる位置まで連結して開口していなくてもよい。すなわち、略円形でも略４角形でも略３角形でもよく、この場合は、本体４０と電源端子台６０が重なる位置に、略円形（あるいは、略４角形、略３角形等）の電源穴４１を設けることによって、電源端子６２と電線６５を接続することができる。したがって、電源穴４１は、本体４０と電源端子台６０（電源端子台６０の電源端子６２）の位置とが重なる位置に開口があればよく、どのような形状でも構わない。
【００５３】
図９（ａ）は、二次電池１０の正面図、図９（ｂ）は、二次電池１０を２枚重ねた場合のＡ方向側面図である。
【００５４】
次に、図９を用いて、二次電池１０の形状と構成についてさらに詳しく説明する。
【００５５】
本実施の形態に係る二次電池１０は、リチウムポリマー電池である。リチウムポリマー電池は、例えば、電池の電解質として、ポリマーに電解液（例えば、リチウムイオン等）を含ませてゲル化した電解質を用いた二次電池である。電解質が準固体状態であるため液漏れしにくく、また、形状の柔軟性が高い。したがって、図９（ａ）に示すように、二次電池１０を上述したような形状（馬蹄形、Ｕ字状、コ字状）に形成することができる。
【００５６】
また、リチウムポリマー電池は、電池の容量を面積によって変更することができる。例えば、照明器具１００に対応する電池の最大容量から、二次電池１０として用いるリチウムポリマー電池の最大面積を割り出し、最大面積に対応する二次電池用ケースを作成して、その中にリチウムポリマー電池を必要容量分（必要枚数分）収容して、照明器具１００の二次電池１０として用いることができる。そのとき、上記二次電池用ケースの形状は、正面図は図９（ａ）の形状となるように作成し、高さは最大容量（面積）に対応するリチウムポリマー電池の枚数分の高さの二次電池用ケースを作成するとよい。図９（ｂ）に示すように、リチウムポリマー電池による二次電池１０は、薄さ約５ｍｍで形成することができ、２枚重ねても約１０ｍｍである。このように、リチウムポリマー電池による二次電池１０を用いることにより、より照明器具１００の高さを低くすることができる。
【００５７】
また、図９に示す馬蹄形の外形を持つ電池ケース（図示せず）を作成し、電池ケース内に１枚または２枚の二次電池を収容してもよい。１枚の二次電池を収容する場合は、他の１枚分のスペースが空くことになるが、外形を変更せず、仕様に応じて１枚または２枚の二次電池を搭載することができる。
【００５８】
二次電池１０は、リチウムポリマー電池に限られず、ユニットケース５０に装着することができる平板状の二次電池ならばよい。
【００５９】
また、電力を充電することができる二次電池（蓄電池）でなくても構わない。この場合は、点灯装置２０に充電機能は必要なくなる。通常の電池であれば、随時電池交換の必要があるが、本実施の形態に係る照明器具１００であれば、上述したように電池交換も容易に行うことができる。
【００６０】
また、本実施の形態では、光源としてＬＥＤを使用した場合について説明したが、これに限られるわけではなく、例えば、光源としてミニハロゲンランプを用いてもよい。光源にミニハロゲンランプを用いた場合は、光源取付部５２はミニハロゲンランプを装着するためのランプソケットを備える。
【００６１】
以上のように、本実施の形態によれば、器具の高さをより低くして、天井面からの出っ張りを少なくした天井面との一体感のある照明器具１００を提供することができる。さらには、器具の高さを低減しつつ、照明器具１００の着脱作業性を向上させることができるという効果を奏する。
【００６２】
実施の形態２．
実施の形態２では、取付面２００（例えば、天井面）に取り付けられ、光源としてハロゲンランプ９０を使用する照明器具９００について説明する。特に、ハロゲンランプ９０と反射鏡９１と電源端子台６０との位置関係について説明する。
【００６３】
図１０（ａ）は、比較例としての照明器具の断面図であり、図１０（ｂ）は、実施の形態２に係る照明器具９００の断面図である。
【００６４】
図１０（ａ）に示す比較例としての照明器具では、本体と電源端子台とハロゲンランプとが直列の位置関係に接続されている。外部電源と照明器具を接続する電線は、外部電源から本体の略中心部に設けられた電源穴を通って、照明器具の略中心部に配置された電源端子台の電源端子に接続される。そのため、照明器具の高さは電源端子台の高さにハロゲンランプの高さが加わって、約６８．４ｍｍとなる。
【００６５】
図１０（ｂ）に示すように、実施の形態２に係る照明器具９００は、電源端子台６０が照明器具９００の略中心部（すなわち、本体４０の略中心部）から所定の距離ずれた位置に配置されている。つまり、電源端子台６０とハロゲンランプ９０とは、並列の位置関係に配置されている。照明器具９００の本体４０は実施の形態１で説明したものと同一であり、本体４０の電源穴４１は、長円になっていて電源端子台６０が配置される位置と重なる位置が開口している。外部電源と照明器具９００とを接続する電線は、外部電源から電源穴４１を通って、照明器具９００の略中心部（すなわち、本体４０の略中心部）から所定の距離ずれた位置に配置されている電源端子台６０の電源端子６２に接続される。このように、ハロゲンランプ９０と電源端子台６０は並列の位置関係に配置することができるので器具の高さは４８．４ｍｍとなり、図１０（ａ）に示す比較例としての照明器具の器具の高さを２０ｍｍ短くすることができる。
【００６６】
以上のように、ハロゲンランプ９０を用いた場合であっても、照明器具の低減化を図ることができる。また、本実施の形態と実施の形態１とを組み合わせた照明器具を提供することもできる。
【図面の簡単な説明】
【００６７】
【図１】実施の形態１に係る照明器具１００の点灯回路基板３０と二次電池１０との位置関係を示す構成図である。
【図２】実施の形態１に係る照明器具１００の分解斜視図である。
【図３】実施の形態１に係るユニットケース５０の部分拡大図である。
【図４】実施の形態１に係る照明器具１００の断面図である。
【図５】実施の形態１に係る点灯装置２０の部分拡大図である。
【図６】点灯回路基板３０の実装面３３を上向きに配置した場合の点灯装置２０の構成を示す図である。
【図７】（ａ）基板装着部５８を示す部分断面視図、（ｂ）基板装着部５８付近（Ｅ−Ｆ間）の部分平面図、（ｃ）基板装着部５８付近（Ｅ−Ｆ間）の部分斜視図である。
【図８】点灯装置２０を取り付けた本体４０を取付面２００側から見た平面図である。
【図９】（ａ）は、二次電池１０の正面図、（ｂ）は、二次電池１０を２枚重ねた場合のＡ方向側面図である。
【図１０】（ａ）は、比較例としての照明器具の断面図、（ｂ）は、実施の形態２に係る照明器具９００の断面図である。
【符号の説明】
【００６８】
１０  二次電池、１１  電池開口部、１２  側壁、１３  中心開口部、２０  点灯装置、３０  点灯回路基板、３１  基板溝部、３２  基板孔、３３  基板開口部、３３  実装面、３４  はんだ面、３５  絶縁シート、４０  本体、４１  電源穴、４２  器具取付穴、４２ａ  器具取付穴、４２ｂ  器具取付穴、４３  点灯装置取付部、５０  ユニットケース、５１  ケース光源面、５２  光源取付部、５３  電池収容部、５４  本体取付部、５５  ケース切り欠き部、５６，５６ａ，５６ｂ  端子台係止部、５８  基板装着部、５８ａ  基板爪部、５８ｂ  基板係止台、５９  基板嵌合部、６０  電源端子台、６１  電源端子台取付金具、６２  電源端子、６３  端子台最下部、６４ａ，６４ｂ  孔、６５  電線、７０  ＬＥＤ、７１  レンズ、８０  カバー、８１  カバー爪部、８２  カバー光源面、８３  光源孔、９０  ハロゲンランプ、９１  反射鏡、１００  照明器具、５０１  ケース孔、５２１  爪部、５２２  スリット部、５３１  電池係止部、５３２  側壁部、５３２ａ，５３２ｂ  終端部、５３４  電池挿入口、５３５  側面開口部、７０１  ＬＥＤ基台、７０２  ＬＥＤ接続線、７０３  ＬＥＤ接続端子、９００  照明器具。
【図１】
2008262714.tif 000003
【図２】
2008262714.tif 000004
【図３】
2008262714.tif 000005
【図４】
2008262714.tif 000006
【図５】
2008262714.tif 000007
【図６】
2008262714.tif 000008
【図７】
2008262714.tif 000009
【図８】
2008262714.tif 000010
【図９】
2008262714.tif 000011
【図１０】
2008262714.tif 000012